(57)【要約】【課題】レンズ鏡筒周上に取り付けられた接触検知手段において、ホールド部分と操作部分が同じ接触領域からなる場合でも快適な操作を可能とするレンズ鏡筒およびカメラシステムを提供すること。【解決手段】レンズ鏡筒において、駆動手段とレンズ鏡筒周上に接触検知手段を有し、接触検知手段から検知される操作部で前記レンズ鏡筒の状態を制御可能なとき、接触検知手段で移動が検知された所定以下の面積の接触領域を移動接触領域とし、検知された所定以上の面積の接触領域を細分化した接触部の中で移動が検出された接触部を移動接触部とすると、操作部は移動接触領域、移動接触部からなることを特徴とする。【選択図】  図１
2019078957.tif 000002
【特許請求の範囲】
【請求項１】
A.1枚または複数のレンズを有するレンズ鏡筒において、
B.前記レンズ鏡筒周上に手の接触の面積と接触の移動を検知する１個または複数の接触検知手段を有し、
C.前記接触検知手段から検知される１つまたは複数の操作部で前記レンズ鏡筒の状態を制御可能なとき、
D.前記接触検知手段で移動が検知された所定以下の面積の接触領域を移動接触領域とし、
E.前記接触検知手段で検知された所定以上の面積の接触領域を細分化した接触部の中で、
F.移動が検出された接触部を移動接触部とすると、
G.前記操作部はそれぞれ前記移動接触領域または前記移動接触部からなることを特徴とするレンズ鏡筒。
【請求項２】
A.請求項１に記載のレンズ鏡筒において
B.前記所定以上の面積の接触領域の端部の接触部において、
C.前記端部の接触部は前記端部の変化により移動の向きおよび移動量を定めることを特徴とするレンズ鏡筒。
【請求項３】
A.請求項１または請求項２に記載のレンズ鏡筒において、
B.前記接触部の向きおよび移動量から前記操作部の向きおよび移動量を求めることが可能なことを特徴とするレンズ鏡筒。
【請求項４】
A.請求項１乃至請求項３のいずれか１項に記載のレンズ鏡筒において、
B.同方向に動く連続する移動接触部があるとき一つの移動接触群として前記操作部とすることが可能なことを特徴とするレンズ鏡筒。
【請求項５】
A.請求項１乃至請求項４のいずれか１項に記載のレンズ鏡筒において、
B.移動接触領域がある場合には前記移動接触領域を優先して操作部とすることを特徴とするレンズ鏡筒。
【請求項６】
A.請求項１乃至請求項５のいずれか１項に記載のレンズ鏡筒において、
B.単位時間当たりの移動量が大きい移動接触領域、移動接触部または移動接触群を優先して操作部とすることを特徴とするレンズ鏡筒。
【請求項７】
A.請求項１乃至請求項６のいずれか１項に記載のレンズ鏡筒において、
B.必要とする操作部よりも移動接触領域、移動接触部、移動接触群が多いとき、
C.前記移動接触部または前記移動接触群が前記移動接触領域と同じ向きに移動し、
D.前記移動接触部または前記移動接触群が前記移動接触領域と近傍にあるのであれば、
E.前記移動接触群または前記移動接触群は前記操作部としないことが可能なことを特徴とするレンズ鏡筒。
【請求項８】
A.請求項１乃至請求項７のいずれか１項に記載のレンズ鏡筒において、
B.複数の操作部において移動接触領域を含むのであれば前記移動接触領域の移動量を制御量とすることを特徴とするレンズ鏡筒。
【請求項９】
A.請求項１乃至請求項８のいずれか１項に記載のレンズ鏡筒において、
B.複数の操作部において前記複数の操作部の平均の単位時間当たりの移動量が所定以上のときには単位時間当たりの移動量の大きい前記操作部の移動量を制御量とし、
C.前記複数の操作部の平均の単位時間当たりの移動量が所定以下のときには単位時間当たりの移動量の小さい前記操作部の移動量を制御量とすることを特徴とするレンズ鏡筒。
【請求項１０】
A.請求項１乃至請求項９のいずれか１項に記載のレンズ鏡筒を有することを特徴とするカメラシステム。
【発明の詳細な説明】
【技術分野】
【０００１】
本発明は、レンズ鏡筒およびカメラシステムに関し、レンズ鏡筒上に接触検知手段を有するレンズ鏡筒およびカメラシステムに関するものである。
【背景技術】
【０００２】
近年、タッチパネルを搭載した電子機器が増えてきている。タッチパネルを搭載することで画面内の表示を直接操作でき、その操作に合わせて表示を変更できるので直観的な操作を可能とするためである。
【０００３】
そのため交換レンズにタッチセンサを設ける例も知られている。タッチセンサを交換レンズに設けることで操作性を良くするとともに防水性、防塵性を向上させることが可能となる。
【０００４】
その操作方法については様々な手法が提案されている。特許文献１では指の本数、指の種類、摺動方向を判断し制御機能を選ぶことが可能となっている。それにより手探り状態で交換レンズを操作することができる構成になっている。
【先行技術文献】
【特許文献】
【０００５】
【特許文献１】特開２０１２−２１５６３２号公報
【発明の概要】
【発明が解決しようとする課題】
【０００６】
交換レンズのように握って操作するものに対して、全面にタッチパネルを設けた場合ホールド部分と操作部分が同じ接触領域からなる場合が存在する。この場合従来の制御方法では操作部とホールド部とを判断することが難しい。
【０００７】
特許文献１に示されるように接触する指の本数で制御機能を選ぶ操作は撮影時においては有用である。しかし、交換レンズを握って操作する場合においては言及されていない。そのため、握って操作する場合に、複数の指が掌を介して一つの接触領域として検出されている場合複数の操作として認識しない可能性がある。
【０００８】
そこで本発明の目的は、レンズ鏡筒周上に取り付けられた接触検知手段において、ホールド部分と操作部分が同じ接触領域からなる場合でも快適な操作を可能とするレンズ鏡筒およびカメラシステムを提供することである。
【課題を解決するための手段】
【０００９】
1枚または複数のレンズを有するレンズ鏡筒において、前記レンズ鏡筒周上に手の接触の面積と接触の移動を検知する１個または複数の接触検知手段を有し、前記接触検知手段から検知される１つまたは複数の操作部で前記レンズ鏡筒の状態を制御可能なとき、前記接触検知手段で移動が検知された所定以下の面積の接触領域を移動接触領域とし、前記接触検知手段で検知された所定以上の面積の接触領域を細分化した接触部の中で、移動が検出された接触部を移動接触部とすると、前記操作部はそれぞれ前記移動接触領域または前記移動接触部からなることを特徴とする。
【発明の効果】
【００１０】
本発明によればレンズ鏡筒周上に取り付けられた接触検知手段において、ホールド部分と操作部分が同じ接触領域からなる場合でも快適な操作を可能とするレンズ鏡筒およびカメラシステムを提供することができる。
【図面の簡単な説明】
【００１１】
【図１】本発明の実施形態にかかわる模式図である。
【図２】実施例におけるレンズ鏡筒としての交換レンズである。
【図３】実施例における交換レンズをカメラボディに接続させた図である。
【図４】交換レンズの中心軸方向の操作を示すタッチパネルの展開図である。
【図５】交換レンズの円周方向の操作を示すタッチパネルの展開図である。
【図６】タッチパネルを手で持ったときの接触領域を示すタッチパネルの展開図である。
【図７】制御領域を分割した接触部が移動したときの移動の検知の仕方を説明する図である。
【図８】移動接触領域、移動接触部、移動接触群の中から操作部を判断する制御図である。
【発明を実施するための形態】
【００１２】
［実施例］
以下に、本発明の好ましい実施の形態を、添付の図面に基づいて詳細に説明する。図１は、本発明の実施形態にかかわる模式図である。
【００１３】
カメラシステム０は、レンズ鏡筒１、カメラボディ２を有している。レンズ鏡筒１には、１枚または複数のレンズ０１とレンズ０１を駆動するレンズ駆動手段０２、レンズ側МＰＵ（マイクロプロセシングユニット）０３、接触検知手段０４、絞り０５、光学防振装置０６、レンズ側端子０７が設けられている。このとき、接触検知手段０４はレンズ鏡筒１の外周に設けられ、指の接触、非接触、移動を検知しその信号をレンズ側МＰＵ０３に伝える。そして、その信号をもとにレンズ側МＰＵ０３は制御手段としてレンズ鏡筒内駆動手段としてのレンズ駆動手段０２、絞り０５、光学防振装置０６を制御する。
【００１４】
カメラボディ２にはカメラ側端子０８、撮像素子０９、カメラ側ＭＰＵ１０が設けられている。レンズ０１、絞り０５、光学防振装置０６により得られる画像を撮像素子０９により得ることができる。また、カメラ側端子０８はレンズ側端子０７と接続されており、カメラ側ＭＰＵ１０はカメラ側端子０８を通してレンズ側МＰＵと通信可能になっている。
【００１５】
レンズ側駆動手段の制御手段としてカメラ側МＰＵ１０を用いてもよい。その場合、接触検知手段０４の信号はレンズ側端子０７、カメラ側端子０８を通してカメラ側МＰＵ１０に伝えられる。カメラ側МＰＵはその信号をもとに制御信号を出し、カメラ側端子０８、レンズ側端子０７を通してレンズ駆動手段０２等のレンズ鏡筒内駆動手段に伝達される。伝達経路としてレンズ側МＰＵ０３を通してレンズ駆動手段０２に信号を送る構成でなくてもいいことは言うまでもない。
【００１６】
また図１のカメラシステム０ではレンズ側端子０７、カメラ側端子０８を設けているが、特別な接続素子で接続されている必要がなく、例えば一体型のカメラでも良いことは言うまでもない。レンズ鏡筒１に絞り０５、光学防振装置０６が設けられていても設けられていなくても良いことは言うまでもない。
【００１７】
次に本発明を可能とする実施形態について述べる。図２は実施例におけるレンズ鏡筒としての交換レンズ１１を示している。外形は図に示す通り、カメラとの接続部としてマウント１１ｂと接触検知手段としてのタッチパネル１０４を有している。タッチパネル１０４は弧形状で、交換レンズ１１の外径のほぼ一周に設けられている。
【００１８】
図示はしていないが、交換レンズ１１の内部には駆動レンズとしてフォーカスの位置を調整するフォーカスレンズ、レンズ側駆動手段としてステッピングモータを有している。また、タッチパネル１０４から得られる操作情報を処理するレンズ側ＭＰＵを有している。内部の詳細な構造については公知のものを用いればよく詳細は省略する。
【００１９】
図３は交換レンズ１１をカメラボディ１２に接続させたものである。図３においてタッチパネル１０４、第一の操作部、第二の操作部を示したのが図４、図５である。このときカメラを正姿勢に構えたときのカメラ側から見て左側の操作を第一の操作部、カメラ側から見て右側の操作を第二の操作部とし、カメラを正位置で構えたときの交換レンズ１１の下側が中央の展開図である。なお、点線Ｕはカメラを正位置で構えたときの交換レンズ１１の下側を示している。
【００２０】
図４は交換レンズ１１の中心軸方向の操作を示し、第一の操作部におけるカメラ側への操作を操作Ａ１１、物体側への操作を操作Ａ１２とする。また、第二の操作部におけるカメラ側への操作を操作Ａ２１、物体側への操作を操作Ａ２２とする。
【００２１】
交換レンズ１１の防振機能のＯＮとＯＦＦ、または、オートフォーカスとマニュアルフォーカスの切り替えは操作Ａ１１または操作Ａ１２と操作Ａ２１または操作Ａ２２の相互の操作行う。防振機能をＯＮにするには操作Ａ１２と操作Ａ２２を同時に行ったときとし、防振機能をＯＦＦにするには操作Ａ１１と操作Ａ２１を同時に行ったときとする。このように二つの操作を認識することで誤動作を行うことを防ぐことができる。
【００２２】
また、オートフォーカスにするには操作Ａ１２と操作Ａ２１を同時に行ったときとし、マニュアルフォーカスにするには操作Ａ１１と操作Ａ２２を同時に行ったときとする。このとき防振機能のＯＮとＯＦＦ、マニュアルフォーカスとオートフォーカスの切り替え方法においては上記の限定されないことは言うまでもない。例えば操作Ａ１１、操作Ａ１２、操作Ａ２１、操作Ａ２２のそれぞれに選択する機能を割り振ってもいいことは言うまでもない。
【００２３】
図５は交換レンズ１１の円周方向の操作を示し、第一の操作部におけるカメラ側から見て左回りの操作を操作Ｂ１１、右回りの操作を操作Ｂ１２とする。また、第二の操作部におけるカメラ側から見て右回りの操作を操作Ｂ２１、左回りの操作を操作Ｂ２２とする。交換レンズ１１のズーム操作、フォーカス操作は操作Ｂ１１または操作Ｂ１２と操作Ｂ２１または操作Ｂ２２の相互の操作行う。フォーカスを至近に合わせるには操作Ｂ１２と操作Ｂ２１を同時に行ったときとする。フォーカスを無限に合わせるには操作Ｂ１１と操作Ｂ２２を同時に行ったときとする。ズームインするには操作Ｂ１１と操作Ｂ２１を同時に行ったときとする。また、ズームアウトするには操作Ｂ１２と操作Ｂ２２を同時に行ったときとする。
【００２４】
次に第一の操作部と第二の操作部の定め方を述べる。一般的な指腹相当のサイズであるよりも少し大きい５平方ｃｍ以下の接触領域の場合はその接触領域から操作部を決める。接触した点に対して、一般的な指腹相当のサイズである２ｃｍの正方形の面積よりも少し大きい５平方ｃｍ以上の接触領域の場合はその接触領域を以下の操作を行い分割した接触部から操作部を決める。
【００２５】
操作方向として用いる交換レンズ１１の円周方向と交換レンズ１１の光軸方向に辺を持つ四角形で分割する。大きさとしては一般的な指腹相当のサイズである２ｃｍの正方形で分割するのが好ましいがこの限りではない。また、タッチパネル１０４を握ったときの指の太さや手の大きさなどから分割サイズを変えてもいいことは言うまでもない。
【００２６】
このとき分割方法としては、接触開始時に接触している点を中心とするように分割する。次に分割した領域内にその領域内で連続しない複数の接触領域がある場合、それぞれを異なる領域となるように分割する。
【００２７】
このようにすることで、指で触れている部分と掌で触れている部分を分けることができる。また、掌と指が同じ接触領域で繋がっている場合に指で接している部分と掌で接している部分を分けることが可能となる。
【００２８】
図６はタッチパネル１０４を手で持ったときの接触領域を示すタッチパネル１０４の展開図である。接触領域４１は５平方ｃｍ以下の面積を有する接触領域であり、接触領域４２は５平方ｃｍ以上の面積を有する接触領域である。また、点４２ａは接触領域４２が接触を開始したときに触れた点を表している。このとき、実線４２ｘは接触領域４２の分割線を示しており、点４２ａを中心として交換レンズ１１の円周方向と交換レンズ１１の光軸方向に２ｃｍの辺を持つ四角形を連続して並べたときの辺となっている。
【００２９】
境界線４２ｙは接触領域４２の境界線を示しており、境界線４１ｘは接触領域４１の境界線を示している。このとき、５平方ｃｍ以下の面積を有する接触領域４１においては境界線４１ｘで分けられたところ領域が接触部となる。５平方ｃｍ以上の面積を有する接触領域４２において実線４２ｘまたは実線４２ｘ及び境界線４２ｙで分けられた領域が接触部となる。
【００３０】
もし、接触領域と接触領域が繋がった際には、繋がったところに分割線を設けるものとする。しかし、繋がったときの処理方法としてはこれに限定されず、隣り合う２つの接触部を結合して一つの接触部としてもいいし、先に接触していた点を中心とするように分割領域を書き変えてもいいことは言うまでもない。
【００３１】
次に接触領域４１と接触領域４２を分割した接触部における接触の移動の検知の仕方を述べる。接触領域４１における接触の移動は接触領域４１の重心の移動方向、移動量を接触領域４１の移動方向、移動量として判断する。このとき分割されていない５平方ｃｍ以下の接触領域において移動が検知される接触領域を移動接触領域とする。
【００３２】
接触領域４２を分割した接触部の移動は接触部が境界線４２ｙを有するかで判断方法が異なる。接触部が境界線４２ｙを有しないときは接触部は移動していないとする。接触部が境界線４２ｙを有するときは接触部の重心の移動から接触部の移動方向を判断する。そして、重心の移動より判断された移動方向において境界線４２ｙの移動量より移動量を判断する。
【００３３】
図７は接触領域を分割した接触部が移動したときの移動の検知の仕方を説明する図を示している。接触部４２１は分割した領域内における接触部を示しており、境界線４２１ｙと線４２１ｘ１で囲まれた領域である。また、接触部４２２は接触部４２１から移動速度を計算するのに用いる単位時間だけ経過したときの接触部を示しており、境界線４２２ｙと線４２１ｘ１に囲まれた領域である。重心４２１ａは接触部４２１の重心を示しており、重心４２２ａは接触部４２２の重心を示している。
【００３４】
このとき、矢印４２ｐは重心４２１ａから重心４２２ａへ向けての向きを表しており、矢印４２ｐを接触部の移動向きと判断する。また、接触部４２１の端部である境界線４２１ｙと接触部４２２の端部である境界線４２２ｙにおいて矢印４２ｐの向きに最も移動量が多い線４２ｑの移動量を接触部の移動量とする。こうすることで接触領域を分割した端部において移動向きと移動量を検知することが可能となり、ホールド部分と操作部分が同じ接触領域からなる場合においても複数の操作を検出することが可能になる。
【００３５】
ある接触部において連続する接触部が移動向きとほぼ同じ向きに移動していない場合、そのある接触部を移動接触部とする。また、連続する接触部において移動向きと移動量がほぼ同じ向きであるとき、連続する接触部をまとめて移動接触群とする。こうすることで、一つの指が同方向に一定以上の面積をもって移動する際にも複数の操作として認識されず誤作動を少なくすることが可能になる。
【００３６】
移動接触群における移動向きと移動量についてはまとめられた接触部の中で最も単位時間当たりの移動量が大きいものの移動量と移動方向とする。
【００３７】
以上の移動接触領域、移動接触部、移動接触群の中から操作部を判断する。
【００３８】
図８は移動接触領域、移動接触部、移動接触群の中から操作部を２つ選択する制御図である。
【００３９】
ＳＴＥＰ１では操作部となっていない移動接触領域があるかどうかを判断する。もし操作部となっていない移動接触部があるのであれば、ＳＴＥＰ２に進み、操作部となっていない最も速い移動接触領域を操作部としてＳＴＥＰ７に進む。この制御により移動接触領域を優先して操作部とすることが可能となる。
【００４０】
もし操作部となっていない移動接触部がないのであれば、ＳＴＥＰ３に進む。ＳＴＥＰ３では操作部と移動接触部と移動接触群が合わせて３つ以上あるか判断する。もし操作部と移動接触部と移動接触群が合わせて３つ以上ないのであればＳＴＥＰ５として最も速い移動接触部または移動接触領域を操作部としてＳＴＥＰ７に進む。
【００４１】
もし操作部と移動接触部と移動接触群が合わせて三つ以上あるのであればＳＴＥＰ４として移動接触領域からの周上距離が閾値Ａ以内に操作向きが同じ移動接触部または移動接触群はあるか判断する。もしそのような移動接触部または移動接触群がないのであればＳＴＥＰ５として操作部となっていない最も速い移動接触部または移動接触群を操作部とする。
【００４２】
もしそのような移動接触部または移動接触群があるのであればＳＴＥＰ６として移動接触領域近くの移動接触部または移動接触群を除いて最も速い移動接触部または移動接触群を操作部としＳＴＥＰ７に進む。
【００４３】
ＳＴＥＰ７では制御に用いる２つの操作部が決まったかどうかを判断する。もし制御に用いる２つの操作部が決まったのであれば制御を終える。もし制御に用いる２つの操作部が決まってないのであればＳＴＥＰ１に戻る。
【００４４】
図８の制御により移動接触領域を優先して操作部とすることが可能となる。そのため、握っている手を用いるのではなく指を用いることが可能となり操作性が良くなる。また、速度の大きいものを操作部とすることが可能になるため意図して動かしているところを制御に用いることができるため操作性が良くなる。
【００４５】
また、ＳＴＥＰ４における閾値Ａは掌と指腹の長さ相当の４ｃｍとする。円筒形状のものを握った状態で指腹を移動させた場合、掌から指に繋がる部分が離れていくため指腹だけでなく掌から指に繋がる部分も指腹の移動方向と同方向に動いていると検知してしまう。そのため、閾値Ａを掌と指腹の長さ相当に設定することで、ＳＴＥＰ４，ＳＴＥＰ６における制御を行ったときに指腹の操作のみを検知することが可能になり、誤動作を少なくすることができる。
【００４６】
このように操作部近傍にある移動接触領域、移動接触部、移動接触群が同じような動きをした場合操作部としないことで誤動作を少なくすることができる。
【００４７】
図８の制御では２つの操作部を決める例を説明したが、複数の操作部を決める際においても以下の制御を行うことで誤動作を少なくすることができる。
次に図８の制御により決められた第一の操作部と第二の操作部において制御を行う際の制御量の決め方について述べる。
【００４８】
第一の操作部と第二の操作部において移動接触領域が操作部となっている場合には移動接触領域の移動量を優先して制御量とする。こうすることで、移動接触領域は移動接触部や移動接触群と比べて固定部と繋がっていないため動かしやすく、意図した操作を反映しやすくなる。
【００４９】
また、第一の操作部と第二の操作部が共に移動接触領域である、または移動接触部か移動接触群のどちらかである場合は第一の操作部と第二の操作部の単位時間当たりの移動量の平均が基準値Ｂよりも大きいか小さいかで制御量とする移動量を異ならせる。
【００５０】
もし、第一の操作部と第二の操作部の単位時間当たりの移動量の平均が基準値Ｂよりも大きい場合には第一の操作部と第二の操作部の単位時間当たりの移動量が大きい方を制御量とする。もし、第一の操作部と第二の操作部の単位時間当たりの移動量の平均が基準値Ｂよりも小さい場合には第一の操作部と第二の操作部の単位時間当たりの移動量が小さい方を制御量とする。
【００５１】
操作量が大きいときは大きく動かそうとする場合で、操作量が小さいときは小さく動かそうとするときである。そのため、大きく動かしたいときには操作量の大きい方を、小さく動かしたいときには操作量の小さい方を用いて制御を行うことで、意図した操作を制御に反映しやすくなり、快適に操作できるようになる。
【００５２】
以上、本発明の好ましい実施形態について説明したが、本発明はこれらの実施形態に限定されず、その要旨の範囲内で種々の変形及び変更が可能である。
【００５３】
実施例ではタッチパネルを設けたがタッチセンサでもいいことは言うまでもない。実施例では２つの操作部からなる制御における操作部の抽出方法について述べたが、複数の操作部を検出したときに制御を行う機能を変更してもいい。例えば操作部が２つのときはフォーカスとして、操作部が３つのときはズームとしてもいい。
【００５４】
実施例中でははじめに接触した点から指腹相当の大きさで分割することで指部と掌部を分けたが、接触領域の形状から指部と掌部を分けてもいいことは言うまでもない。例えば、接触が検知されて所定以上に間が経過したときの接触形状から分割領域を決めても良い。また、接触検知手段上であらかじめ制御領域を分割しておき、その制御領域に基づいて接触領域を分割して制御を行ってもいいことは言うまでもない。
【００５５】
実施例中では図８において移動接触領域と移動接触部または移動接触群の距離について閾値Ａ以内であれば操作部としない制御を行っている。しかし、閾値Ａ以内にある移動接触部または移動接触群以外に操作部となりうる移動接触部または移動接触群がなければ閾値Ａ以内にある移動接触部または移動接触群を操作部とし得もいいことは言うまでもない。
【００５６】
実施例中では図８において移動接触群が複数あるとき速度の速いもの二つを操作部としている。しかし、移動接触群が３つ以上存在し、交換レンズの中心軸方向の距離が指と指の間隔以内に操作向きが同じ移動接触群があるときはそれを操作部としないようにしても良い。そうすることで、例えば親指と人差し指で操作しようとした際に、人差し指と中指が共に同じように動いてしまった場合でも、人差し指と中指の操作と誤検知する可能性が減らすことが可能である。
【産業上の利用可能性】
【００５７】
本発明は、レンズ鏡筒およびカメラシステムに関し、特に接触検知手段を有するレンズ鏡筒およびカメラシステムに有用である。
【符号の説明】
【００５８】
０  カメラシステム
１  レンズ鏡筒
２  カメラボディ
０１  駆動レンズ
０２  レンズ側駆動手段
０３  レンズ側ＭＰＵ
０４  接触検知手段
０５  絞り
０６  光学防振装置
０７  レンズ側端子
０８  カメラ側端子
０９  撮像素子
１０  カメラ側ＭＰＵ
１１  交換レンズ（実施例におけるレンズ鏡筒）
１２  カメラボディ
１１ｂ  レンズ側マウント
１０４  タッチパネル（実施例における接触検知手段）
４１  接触領域（実施例における所定面積以下の接触領域）
４２  接触領域（実施例における所定面積以上の接触領域）
４２ｘ  実線（実施例における接触部の境界線）
４２ｙ  境界線（実施例における接触部の境界線）
４２１  接触部
４２２  接触部
４２ｐ  矢印４２ｐ（実施例のおける操作方向）
４２ｑ  矢印４２ｑ（実施例における制御量）
【図１】
2019078957.tif 000003
【図２】
2019078957.tif 000004
【図３】
2019078957.tif 000005
【図４】
2019078957.tif 000006
【図５】
2019078957.tif 000007
【図６】
2019078957.tif 000008
【図７】
2019078957.tif 000009
【図８】
2019078957.tif 000010